(57)【要約】【課題】限られたスペースにおいてもノイズの抑制が可能なコイルばねとプリント基板との接続構造を提供する。【解決手段】コイルばねとプリント基板との接続構造において、プリント基板は、コイルばねの中心軸がプリント基板に対して略垂直な状態で、コイルばねの一端が接触する電極と、中心軸を略中心として、電極から延びる渦巻状の配線とを備え、コイルばね、電極、および、渦巻状の配線が構成する電流経路は、コイルばねと渦巻状の配線とにおいて、中心軸の周りを互いに反対方向に周回する。【選択図】図３
2019106439.tif 000002
【特許請求の範囲】
【請求項１】
コイルばねとプリント基板との接続構造であって、
前記プリント基板は、
前記コイルばねの中心軸が前記プリント基板に対して略垂直な状態で、前記コイルばねの一端が接触する電極と、
前記中心軸を略中心として、前記電極から延びる渦巻状の配線とを備え、
前記コイルばね、前記電極、および、前記渦巻状の配線が構成する電流経路は、前記コイルばねと前記渦巻状の配線とにおいて、前記中心軸の周りを互いに反対方向に周回する、コイルばねとプリント基板との接続構造。
【発明の詳細な説明】
【技術分野】
【０００１】
本発明は、コイルばねとプリント基板との接続構造に関する。
【背景技術】
【０００２】
プリント基板上に形成された回路と、センサ等の機器とを電気的に接続するために、一般的に金属で作製されたコイルばねが用いられている。例えば特許文献１は、積層されたプリント基板のスルーホールラウンド部どうしを、コイルばねを用いることで確実に接続し、接続不良を抑制することを開示している。
【０００３】
このようなコイルばねは、インダクタンスを構成し、電流が流れると磁界を形成する。磁界が発生すると、近傍のプリント基板上の回路に影響を与えたり、外部に漏れ出してイミュニティノイズとなったりする。コイルばねが関係するノイズを抑制する方法として、特許文献２は、光コネクタプラグのフェルールを付勢するコイルばねにおいて、一部分の巻方向を他の部分と反対にして、接続先のデバイスから受け取った高周波ノイズの影響を相殺し、コイルばねを介してデバイス外部に高周波ノイズが漏れるのを抑制することを開示している。
【先行技術文献】
【特許文献】
【０００４】
【特許文献１】特開昭６２−２２６６８９号公報
【特許文献２】特開２００６−８４７１４号公報
【発明の概要】
【発明が解決しようとする課題】
【０００５】
ノイズ抑制のため、コイルばねにおいて巻方向を部分的に異ならせると、巻方向を反転させる部分に発生する接続部分によって自由長が伸びて、狭いスペースへの搭載が困難となる。また、巻方向の異なる複数のコイルばねを接続すると、座巻部分が増えることによって自由長が伸びて、同様に狭いスペースへの搭載が困難となる。
【０００６】
本発明は、上記課題を鑑みてなされたものであり、限られたスペースにおいてもノイズの抑制が可能なコイルばねとプリント基板との接続構造を提供することを目的とする。
【課題を解決するための手段】
【０００７】
上記課題を解決するために、本発明の一局面は、コイルばねとプリント基板との接続構造であって、プリント基板は、コイルばねの中心軸がプリント基板に対して略垂直な状態で、コイルばねの一端が接触する電極と、中心軸を略中心として、電極から延びる渦巻状の配線とを備え、コイルばね、電極、および、渦巻状の配線が構成する電流経路は、コイルばねと渦巻状の配線とにおいて、中心軸の周りを互いに反対方向に周回する、コイルばねとプリント基板との接続構造である。
【０００８】
これにより、コイルばねから発生する磁界をプリント基板に設けた渦巻状の配線から発生する磁界が相殺するため、ノイズを抑制することができる。
【発明の効果】
【０００９】
以上のように、本発明によれば、プリント基板に渦巻状の配線を設けることにより、コイルばねの長さを増すことなく、限られたスペースにおいてもノイズの抑制が可能なコイルばねとプリント基板との接続構造を提供することができる。
【図面の簡単な説明】
【００１０】
【図１】本発明の一実施形態に係るプリント基板の模式平面図
【図２】本発明の一実施形態に係るコイルばねの斜視図
【図３】本発明の一実施形態に係るプリント基板とコイルばねとの接続構造を示す分解斜視図とコイルばねの拡大図
【図４】本発明の一実施形態に係るプリント基板およびコイルばねの断面図
【図５】本発明の実施形態の変形例に係るプリント基板の分解斜視図および断面図
【発明を実施するための形態】
【００１１】
（概要）
本発明に係るコイルばねとプリント基板との接続構造においては、プリント基板に渦巻状の配線が設けられ、コイルばねと渦巻状の配線とを含む電流経路が、コイルばねの中心軸の周りに、コイルばねと渦巻状の配線とにおいて、互いに反対方向に周回する。これにより、コイルばねから発生する磁界と渦巻状の配線から発生する磁界とが相殺してノイズの発生を抑制する。
【００１２】
（実施形態）
以下、本発明の一実施形態について、図面を参照しながら詳細に説明する。
【００１３】
図１に、本実施形態に係るプリント基板１の模式平面図を示す。プリント基板１には電極２および電極２から伸びる渦巻状の配線３が形成されている。プリント基板１は図示したものより大きくてもよく他の配線や各種部品が設けられるが、図示を省略する。図１に示す例では、渦巻状の配線３は、電極２から反時計周りに周回しながら広がる左巻形状を有する。
【００１４】
図２に、本実施形態に係るコイルばね１１の斜視図を示す。コイルばね１１は導電体で形成され、右巻（右手螺旋）形状を有する。
【００１５】
図３に、プリント基板１とコイルばね１１との接続構造の一例を示す分解斜視図とコイルばね１１の拡大図を示す。図３において、プリント基板１は、図１に示した状態から裏返した状態となっており、透視的に示す電極２および渦巻状の配線３は、図１に示したものとは視線方向に対して巻方向が反対方向となっている。
【００１６】
コイルばね１１の一端１２は、コイルばね１１の中心軸がプリント基板１に対して略垂直な状態で、電極２に当接する。また、コイルばね１１の他端１３は、一例として、センサ２１の電極２２に当接する。コイルばね１１が電極２および電極２２によって縮められる方向に挟まれて、コイルばね１１の各端部が復元力によって電極２および電極２２に対して一定以上の接触圧で当接することにより、電極２と電極２２とを電気的に好適に接続し、電極２２、コイルばね１１、電極２、渦巻状の配線３とをつなぐ電流経路を形成することができる。この電流経路は、コイルばね１１および渦巻状の配線３において、それぞれコイルばね１１の中心軸の周りを互いに反対方向に周回する。図３の矢印Ｘ、Ｙは、電極２２から、コイルばね１１、電極２、渦巻状の配線３の順に電流が流れる場合における電流経路の、コイルばね１１および渦巻状の配線３における周回方向をそれぞれ示す。
【００１７】
図４に図３のＡ−Ａ’線に沿ったプリント基板１およびコイルばね１１の断面図と発生する磁界の一例を示す。電流経路に電流が流れたとき、その向きによらず、コイルばね１１と渦巻状の配線３とにおいて発生する磁界の向きは互いに逆向きとなって磁界が相殺され、外部に放出する磁界を抑制することができる。効果的に磁界を相殺するため、コイルばね１１の中心軸と渦巻状の配線３の中心とが一致することが好ましい。また、コイルばね１１および渦巻状の配線３の巻数、形状、寸法等は、磁界を抑制できれば限定されない。なお、外部で磁界が発生した場合は、発生する誘導電流が、コイルばね１１と渦巻状の配線３とにおいて、互いに逆方向となって相殺されるため、外部からの磁界干渉の影響も抑制することができる。
【００１８】
図５に、本実施形態の変形例に係るプリント基板１’の分解斜視図およびそのＢ−Ｂ’線に沿った断面図を示す。プリント基板１’は、プリント基板１Ａ、１Ｂを積層した多層プリント基板である。プリント基板１Ａには電極２が形成され、プリント基板１Ｂには渦巻状の配線３が形成されている。電極２と渦巻状の配線３との間は層間接続されている。このように、電極２および渦巻状の配線３とは、多層プリント基板の相異なる層に分散して設けられてもよい。
【００１９】
以上の説明のように、本発明においては、コイルばね１１から発生する磁界を相殺するのに、プリント基板１に渦巻状の配線３を設けるため、コイルばねに巻方向の異なる部分を設けて自由長を長くする必要がない。そのため本発明は、コイルばねの長さ方向へのスペースが限定されている場合であっても、実施することができる。なお、本発明は、巻方向を上述したものと反対の方向にして実施してもよい。すなわち、渦巻状の配線３は、電極２から時計周りに周回しながら広がる右巻形状を有し、かつ、コイルばね１１は左巻（左手螺旋）形状を有するものとしてもよい。
【００２０】
（効果）
以上のように、本発明に係るコイルばねとプリント基板との接続構造においては、コイルばねから発生する磁界を相殺する磁界を発生させる渦巻状の配線をプリント基板に設けることで、ノイズの発生を抑制することができる。また、外部の磁界による誘導電流も相殺されるので外部の磁界から受ける影響も抑制することができる。
【産業上の利用可能性】
【００２１】
本発明は、プリント基板を含む電子機器に有用である。
【符号の説明】
【００２２】
１、１’、１Ａ、１Ｂ    プリント基板
２    電極
３    渦巻状の配線
１１    コイルばね
１２    一端
１３    他端
２１    センサ
２２    電極
【図１】
2019106439.tif 000003
【図２】
2019106439.tif 000004
【図３】
2019106439.tif 000005
【図４】
2019106439.tif 000006
【図５】
2019106439.tif 000007